【事件の表示】
　特許第２９５００７１号「刺繍ミシン」の請求項１及び２に係る特許に対する特許異議の申立てについて、次のとおり決定する。
【結　論】
　訂正を認める。
　特許第２９５００７１号の請求項１及び２に係る特許を維持する。
【理　由】
１．手続の経緯
　本件特許第２９５００７１号は、平成４年１２月１７日に特許出願され、平成１１年７月９日に設定登録がなされ、その後、ジューキ株式会社より特許異議の申立てがなされ、取消理由通知がなされたところ、その指定期間内である平成１２年８月１０日に特許異議意見書の提出とともに訂正請求がなされたものである。
　
２．訂正の適否についての判断
(1) 訂正の内容
　特許権者は、特許の明細書を訂正明細書の記載のとおりに訂正することを求めており、その具体的内容は以下のＡないしＦのとおりである。
Ａ．特許請求の範囲の請求項１の、
「【請求項１】　模様を表わす刺繍データに基づき加工布と縫い針とを相対移動させて刺繍する刺繍ミシンにおいて、
外部記憶装置から刺繍データを読み取る読み取り手段と、
前記読み取り手段により読み取られた刺繍データの内容を表示する表示手段と、
前記表示手段により表示されている刺繍データを選択可能にする選択手段と、
複数の前記外部記憶装置から前記選択手段により選択された複数の前記刺繍データを記憶可能な記憶手段と、
前記選択手段により選択された前記外部記憶装置の刺繍データを記憶手段に書き込む書き込み手段とを備えることを特徴とする刺繍ミシン。」を、
「【請求項１】　模様を表わす刺繍データに基づき加工布と縫い針とを相対移動させて刺繍する刺繍ミシンにおいて、
　外部記憶装置から刺繍データを読み取る読み取り手段と、
　前記読み取り手段により読み取られた刺繍データの内容を表示する表示手段と、
　前記表示手段により表示されている刺繍データを選択可能にする選択手段と、
　複数の前記外部記憶装置から前記選択手段により選択された複数の前記刺繍データを組み合わせて形成された模様を記憶可能な記憶手段と、
　前記読み取り手段が読み取る外部記憶装置が変更されても、前記選択手段により選択された前記外部記憶装置の刺繍データを継続して記憶手段に書き込む書き込み手段とを備えることを特徴とする刺繍ミシン。」と訂正する。
Ｂ．明細書の段落【０００４】の記載中「ＲＯＭカードには、多数の模様の刺繍データが記憶されているので、あまり使わない刺繍模様の刺繍データも多数記憶されている。よって、刺繍に頻繁に使用する刺繍模様の刺繍データを使用する度に、多数の刺繍データの中から検索して選択することは非常に手間がかかる作業である。また、同一のＲＯＭカード内での編集しか考慮されておらず、」の記載を、「ＲＯＭカードには、多数の模様の刺繍データが記憶されているが、同一のＲＯＭカード内での編集しか考慮されておらず、」と訂正する。
Ｃ．明細書の段落【０００６】の記載中「使用頻度の高い刺繍模様の刺繍データを迅速に選択可能である刺繍ミシン」の記載を、「別々のＲＯＭカードに記憶されている模様を容易に組み合わせ可能な刺繍ミシン」と訂正する。
Ｄ．明細書の段落【００１０】の記載中「複数の外部記憶装置から選択手段により選択された複数の刺繍データを記憶可能な記憶手段と、選択手段により選択された外部記憶装置の刺繍データを記憶手段に書き込む書き込み手段」の記載を、「複数の外部記憶装置から選択手段により選択された複数の刺繍データを組み合わせて形成された模様を記憶可能な記憶手段と、読み取り手段が読み取る外部記憶装置が変更されても、選択手段により選択された外部記憶装置の刺繍データを継続して記憶手段に書き込む書き込み手段」と訂正する。
Ｅ．明細書の段落【００６９】の記載を削除する。
Ｆ．明細書の段落【００７４】の記載中「複数の外部記憶手段に記憶されている刺繍データを別の記憶装置に編集して記憶させることが可能である。よって、使用頻度の高い模様を選択して記憶させれば選択する時間が短縮できるので、作業効率が向上する。また、」の記載を削除する。
　
（２）訂正の目的の適否、新規事項の有無及び特許請求の範囲の拡張・変更の有無
　訂正Ａは、特許請求の範囲の請求項１に記載された発明を構成する「記憶手段」及び「書込み手段」を、複数の刺繍データを取扱う手段としてより具体的に特定する訂正であり、特許請求の範囲の減縮に該当する。
　訂正Ｂ、Ｅ及びＦは、訂正Ａに伴って特許請求の範囲の記載と関係のないものとなった記載を削除する訂正であり、明りようでない記載の釈明に該当する。
　訂正Ｃ及びＤは、訂正Ａにより訂正された特許請求の範囲の記載との整合のための訂正であり、明りようでない記載の釈明に該当する。
　そして、訂正ＡないしＦはいずれも、願書に添付した明細書に記載した事項の範囲内のものであり、実質上特許請求の範囲を拡張又は変更するものではない。
　
（３）まとめ
　以上のとおりであるから、上記訂正は、特許法等の一部を改正する法律（平成６年法律第１１６号。以下「平成６年改正法」という。）附則第６条第１項の規定によりなお従前の例によるとされる、平成１１年改正前の特許法第１２０条の４第２項及び第３項において準用する平成６年改正法による改正前の特許法第１２６条第１項ただし書き、第２項及び第３項の規定に適合するので、当該訂正を認める。　
　
３．特許異議の申立てについての判断
（１） 申立ての理由の概要
　申立人は、証拠として、甲第１号証ないし甲第４号証を提出し、本件請求項１及び請求項２に係る発明は、甲第１号証及び甲第２号証に記載された発明に基づいて当業者が容易に発明をすることができたものであり、特許法第２９条第２項の規定により特許を受けることができないものであるから、本件請求項１及び請求項２に係る特許は取り消すべきものであると主張している。
　
（２）本件発明
　上記の訂正が認められるので、本件請求項１及び請求項２に係る発明は、訂正明細書の特許請求の範囲の請求項１及び請求項２に記載された事項により特定される以下のとおりのものである。
「【請求項１】　模様を表わす刺繍データに基づき加工布と縫い針とを相対移動させて刺繍する刺繍ミシンにおいて、
　外部記憶装置から刺繍データを読み取る読み取り手段と、
　前記読み取り手段により読み取られた刺繍データの内容を表示する表示手段と、
　前記表示手段により表示されている刺繍データを選択可能にする選択手段と、
　複数の前記外部記憶装置から前記選択手段により選択された複数の前記刺繍データを組み合わせて形成された模様を記憶可能な記憶手段と、
　前記読み取り手段が読み取る外部記憶装置が変更されても、前記選択手段により選択された前記外部記憶装置の刺繍データを継続して記憶手段に書き込む書き込み手段とを備えることを特徴とする刺繍ミシン。
【請求項２】 前記表示手段により表示されている刺繍データの内容を編集するデータ編集手段を更に備えることを特徴とする請求項１記載の刺繍ミシン。」（以下、それぞれ「本件第１発明」、「本件第２発明」という。）
　
（３）証拠
　異議申立人の提示した証拠及びその記載事項は以下の通りである。
甲第１号証：MODEL　ＭＣＭ−１７０−２７２　コンピュータ刺しゅう機使用説明書（東京重機株工業式会社）
甲第２号証：特開昭６２−１０１２８３号公報（昭和６２年５月１１日公開）
甲第３号証：ＪＵＫＩ　ＩＭＢ’８５カタログ
甲第４号証：ＪＵＫＩ　ＪＩＡＭ’８７国際アパレルマシンショーカタログ
　甲第１号証（当審が取消理由に引用した引例１）は、東京重機株式会社のMODEL　ＭＣＭ−１７０−２７２　コンピュータ刺しゅう機の使用説明書であり、裏表紙に「１９８６．６　Ｐｒｉｎｔｅｄ　ｉｎ　Ｊａｐａｎ」と記載され、ＭＣＭ−１７０−２７２は「一本針本縫ミシン（ＤＤＬ−２７２）と正確なＸ−Ｙ送り装置、それらを制御するマイコンコントローラ（ＭＣ−１７１）から構成されてい」るコンピュータ刺しゅう機（１頁２ないし４行目の記載参照）であること（第１頁第２〜４行の記載参照）、操作パネルのディスプレイは、「縫製工程での縫製条件の問いかけや編集データの表示及びエラー内容を表示」すること（第９頁第８〜１０行及び図面の記載参照）、通常の操作手順として、「編集データの選択を行なう」こと、その場合、「ヘンシュウ…フロッピーディスクから文字を選び、新しくデータを編集する。ファイル…メモリファイルに登録されているデータを呼び出す。」であること（第１５頁の説明欄の第６〜１２行参照）、縫製終了後に「今、縫製した編集データをそのまま、メモリファイルに登録することができる。メモリファイルに空いているＮｏ．を指定して編集データを登録する。（Ｎｏ．１〜９９まで）」こと（第２０頁の説明欄の第４〜９行参照）等が図面やフローチャートとともに示されている。
　甲第２号証（当審が取消理由に引用した引例２）には、「メモリカセットに格納された縫目模様の表示可能なミシンに関し、特にメモリカセットをミシン本体に装着した状態で選択された所望の縫目模様の形象を表示可能にした電子制御式ジグザグミシンに関する」（第１頁右欄第１８行〜第２頁左上欄第２２行）発明が記載され、当該ミシンによれば、「外部メモリ内の各縫目模様の形象を順次表示させて検索していくことが可能なので、縫目模様のコード番号を用いることなく縫目模様を簡単に選択することが出来る。」（第３頁左上欄第１３行〜右上欄第４行の記載参照）ことが記載されている。
　甲第３号証及び甲第４号証は、異議申立人が甲第１号証の公知性を補足する証拠として提示したものであり、甲第３号証の第１頁には、JUKI　ＩＭＢ’８５として展示会場の配置を示すと認められる図面とともに、「ＭＣＭ−１７０−２７２……２４〜２５」の記載が認められ、甲第４号証には、「ＭＣＭ−１７０−２７２」の記載とともに写真が掲示されていることが認められる。
　
（４）当審の判断
 ｉ）本件第１発明について
　本件第１発明と甲第１号証に記載された事項とを対比すると、甲第１号証に記載された「フロッピーディスク」、「ディスプレイ」及び「コンピュータ刺しゅう機」は、本件第１発明の「外部記憶装置」、「表示手段」及び「刺繍ミシン」に、それぞれ相当し、甲第１号証に記載された「編集データ」は、フロッピーディスクから（刺しゅうすべき）文字を選び、編集するもので、本件第１発明の「模様を表す刺繍データ」に相当するものということができるので、甲第１号証には、加工布と縫い針とを相対移動させて刺繍する刺繍ミシンにおいて、外部記憶装置から読み取られた刺繍データの内容を表示する表示手段と、該刺繍データを編集可能であるとともに、その編集データをメモリファイルに登録することが可能な刺繍ミシン、即ち、本件第１発明の「模様を表わす刺繍データに基づき加工布と縫い針とを相対移動させて刺繍する刺繍ミシンにおいて、外部記憶装置から刺繍データを読み取る読み取り手段と、前記読み取り手段により読み取られた刺繍データの内容を表示する表示手段と、前記外部記憶装置から選択された前記刺繍データを編集し、編集後のデータを記憶可能な記憶手段と、記憶手段に書き込む書き込み手段とを備えることを特徴とする刺繍ミシン。」の構成が示されているといえる。
　しかし、甲第１号証には、本件第1発明の「複数の外部記憶装置から選択手段により選択された複数の刺繍データを組み合わせて形成された模様を記憶可能な記憶手段と、読み取り手段が読み取る外部記憶装置が変更されても、前記選択手段により選択された前記外部記憶装置の刺繍データを継続して記憶手段に書き込む書き込み手段」（以下、「構成Ａ」という。）なる構成に関する記載はなく、また、これを示唆する記載もない。
　そこで、甲第２号証について検討すると、甲第２号証に記載された「ミシン」、「外部メモリ」及び「縫目模様」は、それぞれ本件第１発明の「刺繍ミシン」、「外部記憶装置」及び「模様を表す刺繍データ」に、相当するので、甲第２号証には、刺繍ミシンに設けられた表示器に、外部記憶装置に格納された模様を表す刺繍データを順次表示させることが可能であるとともに、その表示器に表示された刺繍データの模様を参照しながら、使用者が刺繍データの模様を選択することが可能な刺繍ミシン、即ち、本件第1発明の「外部記憶装置から刺繍データを読み取る読み取り手段と、前記読み取り手段により読み取られた刺繍データの内容を表示する表示手段と、前記表示手段により表示されている刺繍データを選択可能にする選択手段」を備えたミシンは示されているということができるが、上記の本件第１発明の構成Ａについては、記載も示唆もされていない。
　また、甲第３号証及び甲第４号証の記載は、「ＭＣＭ−１７０−２７２」なるコンピュータ刺しゅう機が、本件出願前公知であったことを教えるにとどまり、やはり、上記の本件第１発明の構成Ａについて何ら記載も示唆もするものではない。
　そして、本件第１発明は、上記の構成Ａを備えることにより、刺繍データが読み取られる外部記憶装置が変更されても、継続して刺繍データの編集が可能なので、別々の外部記憶装置に記憶されている模様の組合せが容易に可能であるという甲第１号証ないし甲第４号証の記載からは予測し得ない効果を奏するものと認められる。
　したがって、甲第３号証及び甲第４号証の記載を参酌して、甲第１号証が本件出願前頒布されたものであると認めたとしても、本件第１発明は、甲第１号証及び甲第２号証に記載された事項に基づいて当業者が容易発明をすることができたものということはできない。
　なお、異議申立人は、上記の構成Ａに関して、甲第１号証に、「メモリファイルの格納するファイルが漢字の場合は……漢字フロッピーディスク６枚に分けて格納してある」との記載から、『「特許」のように「特」と「許」が別の漢字フロッピーディスクに格納されていた場合には、複数の漢字フロッピーディスクを差し替えて漢字選択してメモリファイルに記憶することが必要』であるとして、「複数の外部記憶装置から選択された複数の刺繍データを記憶手段に記憶する」ことが示唆されている旨を主張している（特許異議申立書第５頁第１７行〜第６頁第４行）。
　しかし、甲第１号証に記載されたフローチャートなどを参照する限り「刺しゅうしたい書体のフロッピーディスクをセットする。」（１６頁の ＮＯ．５）という動作を行った後、書体の選択、データの編集等を行った後縫製モードを設定し、縫製動作を行うこと（ＮＯ．６〜１５）が示されているが、その間、フロッピーディスクをセットし直すことは何ら示されていない。即ち、互いに異なるフロッピーディスク同士に記憶されたデータを組み合わせて編集して刺繍を行うことは記載も示唆もされていない。
　したがって、異議申立人の上記の主張は採用できない。
　
ii）本件第２発明について
　本件第２発明は、本件第１発明の構成に、さらに、データ編集手段を付加したものであり、上記の構成Ａを備えているものであるから、本件第１発明についてと同じ理由により、甲第１号証及び甲第２号証に記載された事項に基づいて、当業者が容易に発明をすることができたものということはできない。
　
４．むすび
　以上のとおりであるから、特許異議申立ての理由及び証拠によっては、本件請求項１及び請求項２に係る特許を取り消すことはできない。
　また、他に本件請求項１及び請求項２に係る特許を取り消すべき理由を発見しない。
　よって、平成６年改正法附則第１４条の規定に基づく、同法の施行に関する経過措置を定める政令（平成７年政令第２０５号）第４条第１項及び第２項の規定により、結論のとおり決定する。
【異議決定日】
平成１２年１０月２６日（２０００．１０．２６）
【訂正の要旨】
訂正の要旨
　特許第２９５００７１号の明細書を訂正請求書に添付した全文訂正明細書のとおりに訂正する。すなわち、
Ａ．特許請求の範囲の減縮を目的として、特許請求の範囲の請求項１の、
「【請求項１】　模様を表わす刺繍データに基づき加工布と縫い針とを相対移動させて刺繍する刺繍ミシンにおいて、
外部記憶装置から刺繍データを読み取る読み取り手段と、
前記読み取り手段により読み取られた刺繍データの内容を表示する表示手段と、
前記表示手段により表示されている刺繍データを選択可能にする選択手段と、
複数の前記外部記憶装置から前記選択手段により選択された複数の前記刺繍データを記憶可能な記憶手段と、
前記選択手段により選択された前記外部記憶装置の刺繍データを記憶手段に書き込む書き込み手段とを備えることを特徴とする刺繍ミシン。」を、
「【請求項１】　模様を表わす刺繍データに基づき加工布と縫い針とを相対移動させて刺繍する刺繍ミシンにおいて、
　外部記憶装置から刺繍データを読み取る読み取り手段と、
　前記読み取り手段により読み取られた刺繍データの内容を表示する表示手段と、
　前記表示手段により表示されている刺繍データを選択可能にする選択手段と、
　複数の前記外部記憶装置から前記選択手段により選択された複数の前記刺繍データを組み合わせて形成された模様を記憶可能な記憶手段と、
　前記読み取り手段が読み取る外部記憶装置が変更されても、前記選択手段により選択された前記外部記憶装置の刺繍データを継続して記憶手段に書き込む書き込み手段とを備えることを特徴とする刺繍ミシン。」と訂正する。
Ｂ．明りょうでない記載の釈明を目的として、明細書の段落【０００４】の記載中「ＲＯＭカードには、多数の模様の刺繍データが記憶されているので、あまり使わない刺繍模様の刺繍データも多数記憶されている。よって、刺繍に頻繁に使用する刺繍模様の刺繍データを使用する度に、多数の刺繍データの中から検索して選択することは非常に手間がかかる作業である。また、同一のＲＯＭカード内での編集しか考慮されておらず、」の記載を、「ＲＯＭカードには、多数の模様の刺繍データが記憶されているが、同一のＲＯＭカード内での編集しか考慮されておらず、」と訂正する。
Ｃ．明りょうでない記載の釈明を目的として、明細書の段落【０００６】の記載中「使用頻度の高い刺繍模様の刺繍データを迅速に選択可能である刺繍ミシン」の記載を、「別々のＲＯＭカードに記憶されている模様を容易に組み合わせ可能な刺繍ミシン」と訂正する。
Ｄ．明りょうでない記載の釈明を目的として、明細書の段落【００１０】の記載中「複数の外部記憶装置から選択手段により選択された複数の刺繍データを記憶可能な記憶手段と、選択手段により選択された外部記憶装置の刺繍データを記憶手段に書き込む書き込み手段」の記載を、「複数の外部記憶装置から選択手段により選択された複数の刺繍データを組み合わせて形成された模様を記憶可能な記憶手段と、読み取り手段が読み取る外部記憶装置が変更されても、選択手段により選択された外部記憶装置の刺繍データを継続して記憶手段に書き込む書き込み手段」と訂正する。
Ｅ．明りょうでない記載の釈明を目的として、明細書の段落【００６９】の記載を削除する。
Ｆ．明りょうでない記載の釈明を目的として、明細書の段落【００７４】の記載中「複数の外部記憶手段に記憶されている刺繍データを別の記憶装置に編集して記憶させることが可能である。よって、使用頻度の高い模様を選択して記憶させれば選択する時間が短縮できるので、作業効率が向上する。また、」の記載を削除する。
（５４）【発明の名称】
刺繍ミシン
（５７）【特許請求の範囲】
　　【請求項１】
　模様を表わす刺繍データに基づき加工布と縫い針とを相対移動させて刺繍する刺繍ミシンにおいて、
　外部記憶装置から刺繍データを読み取る読み取り手段と、
　前記読み取り手段により読み取られた刺繍データの内容を表示する表示手段と、
　前記表示手段により表示されている刺繍データを選択可能にする選択手段と、
　複数の前記外部記憶装置から前記選択手段により選択された複数の前記刺繍データを
組み合わせて形成された模様を
　
前記読み取り手段が読み取る外部記憶装置が変更されても、
継続して
　　【請求項２】
　前記表示手段により表示されている刺繍データの内容を編集するデータ編集手段を更に備えることを特徴とする請求項１記載の刺繍ミシン。
　　【請求項３】
　前記読み取り手段が前記外部記憶装置を複数個同時に取り付け可能であることを特徴とする請求項１記載の刺繍ミシン。
　　【請求項４】
　前記記憶手段が書き込み自在な外部記憶装置であることを特徴とする請求項１記載の刺繍ミシン。
【発明の詳細な説明】
　　　【０００１】
　　【産業上の利用分野】
　本発明は、外部記憶装置より刺繍の模様を表す刺繍データを読み取る刺繍ミシンに関するものである。
　　　【０００２】
　　【従来の技術】
　従来、ミシンにおいては、刺繍模様を縫製するためには、予め刺繍データを作成しておく必要があり、予め作成された刺繍データをＲＯＭカード等の記憶媒体に記憶させておき、必要に応じて縫製したい刺繍模様の刺繍データを読み出せば、コントローラが１針毎に縦送りデータ、横送りデータ、針落ちデータを読み出して布を支持する刺繍枠を縦横方向に移動させると共に針を上下動させて刺繍模様が形成される。
　　　【０００３】
　文字やイラストの模様を刺繍する場合、ＲＯＭカードは、ミシンに組み込まれた読み取り装置に装着され、縫製位置が決定されると共に刺繍選択機構により刺繍データが選択された後に縫製が行われる。別々のＲＯＭカードに記憶された模様を組み合わせて縫製したい場合には、同時に複数のＲＯＭカードの刺繍データが読み込めないので、先に選択された刺繍データの模様の縫製が終了した後に、次に縫製したい模様が格納されたＲＯＭカードに差し替えて装着され、縫製位置が作業者によって決定されると共に次の刺繍模様が再び選択された後に縫製が行われる。更に、別々のＲＯＭカードに格納された模様を交互に使用したい場合には、ＲＯＭカードの差し替え作業と縫製位置の決定作業とがその都度何度も繰り返される。
　　　【０００４】
　　【発明が解決しようとする課題】
　しかしながら、ＲＯＭカードには、多数の模様の刺繍データが記憶されてい
るが、同
　　　【０００５】
　更に、同時に複数のＲＯＭカードの刺繍データが読み出せないので、ＲＯＭカードの差し替えを頻繁に行う必要がある。そして、選択された模様は、ミシンの本体に内蔵された記憶装置に記憶されるので、他のミシンで同一の模様を縫製したい場合には、もう一度同じ模様の選択作業や縫製位置の決定作業をする手間があるという問題点がある。
　　　【０００６】
　請求項１の発明は、上述した問題点を解決するためするためになされたものであ
り、別々のＲＯＭカードに記憶されている模様を容易に組み合わせ可能な
　　　【０００７】
　また、請求項２の発明は、上述した問題点を解決するためになされたものであり、複数の外部記憶装置に記憶された模様同志の組合せが容易な刺繍ミシンを提供することを目的とする。
　　　【０００８】
　更に、請求項３の発明は、上述した問題点を解決するためになされたものであり、外部記憶装置の差し替えの手間が大幅に省ける刺繍ミシンを提供することを目的とする。
　　　【０００９】
　そして、請求項４の発明は、上述した問題点を解決するためになされたものであり、再度、刺繍データを選択する手間が省かれた刺繍ミシンを提供することを目的とする。
　　　【００１０】
　　【課題を解決するための手段】
　この目的を達成するために本発明の請求項１に係る刺繍ミシンは、図１に示すように、外部記憶装置から刺繍データを読み取る読み取り手段と、読み取り手段により読み取られた刺繍データの内容を表示する表示手段と、表示手段により表示されている刺繍データを選択可能にする選択手段と、複数の外部記憶装置から選択手段により選択された複数の刺繍データを
組み合わせて形成された模様を
読み取り手段が読み取る外部記憶装置が変更されても、
継続して
　　　【００１１】
　更に、本発明の請求項３に係る刺繍ミシンは、外部記憶装置を複数個同時に取り付け可能である読み取り手段を備えている。
　　　【００１２】
　そして、本発明の請求項４に係る刺繍ミシンは、書き込み自在な外部記憶装置である記憶手段を備えている。
　　　【００１３】
　　【作用】
　前記の構成を有する請求項１に係る刺繍ミシンにおいては、読み取り手段が刺繍データを外部記憶装置から読み取ると、表示手段がこの刺繍データの内容を表示すると共に、その刺繍データが選択手段によって選択可能になる。読み取り手段が読み取る外部記憶手段が変更されても、書き込み手段が選択された刺繍データを記憶手段に継続して書き込んで記憶する。また、前記の構成を有する請求項２に係る刺繍ミシンにおいては、読み取り手段が読み取る外部記憶手段が変更されても、データ編集手段が表示手段により表示されている刺繍データの内容を継続して編集可能とする。
　　　【００１４】
　更に、前記の構成を有する請求項３に係る刺繍ミシンにおいては、外部記憶装置を複数個同時に取り付けて、外部記憶装置から模様を選択する間に記憶手段を取り替えることなく、模様を選択することが可能である。
　　　【００１５】
　そして、前記の構成を有する請求項４に係る刺繍ミシンにおいては、記憶手段が書き込み自在な外部記憶装置であり、記憶手段を刺繍ミシンから離脱して他のデータ読み取り装置に用いることが可能であると共に、再度、記憶された刺繍データを利用することが可能である。
　　　【００１６】
　　【実施例】
　以下、本発明を具体化した一実施例を図面を参照して説明する。
　　　【００１７】
　図２を参考に刺繍ミシン１０の模様縫製部に付いて説明するが、この部分は、一般的な刺繍ミシンと同様であるので簡単に説明する。
　　　【００１８】
　本実施例の刺繍ミシン１０は、ベット部１０ａとそのベット部１０ａの右端部から立設された脚柱部１０ｂと、その脚柱部１０ｂからベッド部１０ａに対向するように左方へのびるアーム部１０ｃとから構成されている。アーム部１０ｃには縫い針を下端に装着可能な針棒を上下動作せる公知の針棒駆動機構と、天秤を針棒の上下動に調時して上下動させる公知の天秤駆動機構などが設けられている。ベット部１０ａには、被加工布を固定する刺繍枠Ｆを縦横方向に動かす公知の枠移動機構と、公知の水平釜などが設けられている。
　　　【００１９】
　これらの針棒駆動機構と、天秤駆動機構と、水平釜は公知のミシンモーターＭ１で駆動されるように構成されている。また、枠移動機構の縦方向は、公知の枠縦方向駆動モーターＭ２で駆動され、横方向は、公知の枠横方向駆動モーターＭ３で駆動されるように構成されている。
　　　【００２０】
　次に、本発明に関する部分に付いて説明する。
　　　【００２１】
　図２に示すように脚柱部１０ｂの右面側には、上側と中央にＲＯＭカード１２を２枚、最も下側にＲＡＭカード１４を１枚を装着可能な図示しない開口部（図示せず）が３箇所設けられている。その開口のうち上側と中央の２つの開口部に対向する刺繍ミシン１０の内部には、ＲＯＭカード１２の出力部と接続可能な読み取り装置１６の入力部が配置されている。最も下側の開口に対向する刺繍ミシン１０の内部には、ＲＡＭカード１４の入出力部と接続可能な書き込み装置１８の入出力部が配置されている。また、読み取り装置１６は装着されたＲＯＭカード１２の任意の記憶内容を読み取るように構成されている。
　　　【００２２】
　書き込み装置１８は装着されたＲＡＭカード１４の任意の記憶内容を読み取ることができると共に、任意のデータを任意の記憶領域に書き込むことができるように構成されている。そして、読み取り装置１６及び書き込み装置１８は、刺繍ミシン１０の制御全体を司るＣＰＵ２２に接続されている。
　　　【００２３】
　また、アーム部１０ｃの正面部には、従来通り液晶画面の選択画面２４が配置されている。この選択画面２４は、ＣＰＵ２２を介して読み取り装置１６に接続されており、ＲＯＭカード１２に記憶されている刺繍データの模様を表示可能に構成されている。更に、その選択画面２４の上面は、選択画面２４の表示内容が可視可能な従来通りのタッチパネル２６により覆われている。このタッチパネル２６は圧接を感知する感知点を複数有しており、圧接された感知点を表す信号をＣＰＵ２２に出力可能にＣＰＵ２２に接続されている。
　　　【００２４】
　よって、感知点の位置と選択画面２４に表示されているＲＯＭカード１２に納められている模様が対応しているので、タッチパネル２６が圧接されると、その模様の刺繍データが選択されるように構成されている。
　　　【００２５】
　また、脚柱部１０ｂの正面で選択画面２４の右下には、正方形状の編集画面２８が備えられており、ＣＰＵ２２を介して、読み取り装置１６及び書き込み装置１８に接続されており、タッチパネル２６により選択された模様と、ＲＡＭカード１４の内容が表示可能に構成されている。編集画面２８には、次に選択される模様が表示される位置を表すカーソルが表示されるように構成されている。尚、編集画面２８に表示される刺繍データの内容の大きさは、縮小及び拡大可能なように構成されている。
　　　【００２６】
　更に、脚柱部１０ｂの正面の編集画面２８の下には、４つの移動ボタン３２が配置されている。それぞれの移動ボタン３２の上面には、矢印が描かれており、編集画面２８に対して上下左右の４方向を示している。操作された移動ボタン３２の上面の矢印に基づいて、カーソルが編集画面２８上を上下左右移動するように構成されている。この移動ボタン３２は十字をなすように配置されており、その中央部分には、決定ボタン３４が配置されている。この決定ボタン３４が押されると、模様の編集の過程で命令が決定されたことがＣＰＵ２２に示されるように構成されている。
　　　【００２７】
　この移動ボタン３２の左側には、オールクリアボタン３６が配置されており、このオールクリアボタン３６を操作することによりＲＡＭカード１４に記憶されているデータをすべて消去する命令がＣＰＵ２２に示されるように構成されている。
　　　【００２８】
　ＣＰＵ２２は周知の演算機能やタイマー機能に加えて、別々のＲＯＭカード１２に格納された刺繍データを組み合わせたり、或は、模様のレイアウトを変更させたりする編集機能を備えている。ＣＰＵ２２は、図３に示すように、タッチパネル２６や前記各種ボタンが押されたことを感知可能であると共に、両画面２４，２８，読み取り装置１６や書き込み装置１８などへ指令を出力可能に構成されている。更に、ＣＰＵ２２には、刺繍ミシン１０の内部記憶装置としての内部ＲＯＭ４２や内部ＲＡＭ４４が接続されている。内部ＲＯＭ４２には、予め、編集に必要な数値やプログラムが記憶されるように構成されている。内部ＲＡＭ４４には、演算の過程で発生する様々な数値や両画面２４，２８に刺繍データの内容を表示するために刺繍データが記憶されるように構成されている。
　　　【００２９】
　更に、内部ＲＡＭ４４には、読み取り装置１６によって読み取られるＲＯＭカード１２のデータを記憶するための記憶領域が設けられている。そのため、ＲＯＭカード１２が読み取り装置１６から取り外されても、ＣＰＵ２２が継続して編集作業を行えるように構成されている。そして、ＣＰＵ２２には、ミシンモーターＭ１・枠縦方向駆動モーターＭ２・枠横方向駆動モーターＭ３と接続されており、これらのモーターを制御するように構成されている。
　　　【００３０】
　また、移動ボタン３２の左側には、３つのＬＥＤ５２，５４，５６とモードボタン５８が縦一列に配置されている。この３つのＬＥＤ５２，５４，５６は、モードボタン５８が押される度に、順に点灯するように構成されている（５２→５４→５６→５２→・・・）。モードボタン５８が押されると、そのことがＣＰＵ２２に示されると共に、後述する３つのモードに順次切換わるように構成されている（作成→選択→削除→作成→・・・）。尚、３つのＬＥＤ５２，５４，５６は、ＣＰＵ２２が現在どのモードにあるかを示すようになっており、上から順に作成ＬＥＤ５２，選択ＬＥＤ５４，削除ＬＥＤ５６である。
　　　【００３１】
　モードボタン５８と並んで刺繍ミシン１０の正面には、カードボタン６４が配置されており、カードボタン６４を押したことが検出可能なようにＣＰＵ２２に接続されている。このカードボタン６４が押されると、記憶されている刺繍データの内容が選択画面２４に表示されるＲＯＭカード１２を切り替えれるように構成されている。ＲＯＭカード１２が差し込まれる近傍の脚柱部１０ｂの正面には、それぞれ表示ＬＥＤ６５が配置されている。記憶している刺繍データの内容を選択画面２４に表示されているＲＯＭカード１２に近い方の表示ＬＥＤ６５が点灯するように構成されている。尚、ＲＯＭカード１２の切り替えに伴って、表示ＬＥＤ６５も切り替わるように構成されている。
　　　【００３２】
　以下、図４及び図５を参照してＲＯＭカード１２及びＲＡＭカード１４に記憶されているデータや記憶領域について説明する。
　　　【００３３】
　ＲＯＭカード１２の種類は、記憶されている模様の種類（文字、イラスト、数字・・・）を表す記号（Ａ、Ｂ，Ｃ・・・）と、その種類のうちでどれであるかを示す数字（１、２、３・・・）とによって表されている。この記号と数字との一組で示されるカード種類データを記憶するための記憶領域が、ＲＯＭカード１２の筆頭に設けられている。
　　　【００３４】
　ＲＯＭカード１２に記憶されている１つの模様に対して表示データ，縫製データ，その他のデータがあり、その模様には、記憶されている順番で模様番号が付けられいる。表示データは、選択画面２４に模様（刺繍データの内容）を表示するための数値である。縫製データは、被加工布に模様を形成するための送り量などの数値である。更に、その他のデータは、縫製時に刺繍ミシン１０を制御するための数値である。それら表示データ、縫製データ、その他のデータのためにそれぞれ記憶領域がＲＯＭカード１２には設けられている。また、それら表示データ、縫製データ、その他のデータがそれぞれＲＯＭカード１２のどこの記憶領域に記憶されているかを表す行先データがある。
　　　【００３５】
　図４に示すように、ＲＯＭカード１２には、カード種類データのための記憶領域、続いて、模様番号順の行先データのための記憶領域が構成されている。それらの行先データは、表示データ、縫製データ、その他のデータ毎に分けられ記憶されている。この行先データの記憶領域に続いて、表示データ、縫製データ、その他のデータのための記憶領域が設けられている。それら表示データ、縫製データ、その他のデータは模様番号順で、行先データが示す記憶領域に記憶されている。
　　　【００３６】
　ＲＡＭカード１４には、データが編集作業に伴って記憶されていくので、ＲＯＭカード１２とは異なる形式でデータが記憶される。よって、ＲＡＭカード１４のデータを読み出すためのデータ読出しプログラムが必要である。また、模様を再編集するために、どの様に模様が編集されたかを表す編集データが必要であり、この編集データは、選択された模様がどの種類のＲＯＭカード１２のどの模様であるかを示すデータと、選択された模様が編集画面で表示される基準位置を示すデータとから構成される。例えば、Ａ１というＲＯＭカード１２の模様番号０１模様をＸ（１），Ｙ（１）という基準位置に表示するという場合、そのデータは、図５の編集データの先頭部分に示すよう一連のデータである。複数の模様から構成される１つの模様である場合は、模様番号と基準位置の組が複数あることになる。
　　　【００３７】
　図５に示すように、このＲＡＭカード１４の筆頭には、データ読出しプログラムを記憶するための記憶領域が設けられている。その次に、ＲＯＭカード１２から選択された（編集された）順番で、編集データ、表示データ、縫製データ、その他のデータを、各データ毎にまとめて記憶する記憶領域がそれぞれ設けられている。
　　　【００３８】
　尚、ＲＡＭカード１４は、刺繍ミシン１０とは独立した小型乾電池などの電源を持ち、編集後の記憶内容を記憶するように構成されている。また、ＲＡＭカード１４の出力部は、ＲＯＭカード１２の出力部と同様な機構であり、ＲＡＭカード１４を読み取り装置１６に装着可能である。このＲＡＭカード１４は、ＲＯＭカード１２の模様や読み込みプログラムを記憶するのに十分な記憶容量を持っている。
　　　【００３９】
　本実施例において、ＲＯＭカード１２が外部記憶装置に相当し、読み取り装置１６が読み取り手段に相当し、ＣＰＵ２２及び編集画面２４が表示手段に相当し、ＣＰＵ２２、選択画面２４並びにタッチパネル２６が選択手段に、ＲＡＭカード１４が記憶手段に相当し、ＣＰＵ２２及び書き込み装置１８が書き込み手段に相当する。
　　　【００４０】
　次に、本発明の刺繍ミシン１０を用いて図１２の模様を作成する場合の編集動作を図６〜図９に示すフローチャートに沿って説明する。
　　　【００４１】
　図１２に示すような刺繍模様をしたい場合、まず、英数文字等が記憶されたＲＯＭカード１２Ｕ（上側に装着）とイラスト等が記憶されたＲＯＭカード１２Ｄ（下側に装着）との２枚のＲＯＭカード１２が用いられる。
　　　【００４２】
　読み取り装置１６にＲＯＭカード１２が装着されると、読み取り装置１６は、ＲＯＭカード１２が装着されていることを検出する。続いて、図１０に示すように、上側のＲＯＭカード１２Ｕの内容がＣＰＵ２２を介して選択画面２４に表示される。電源が入れられて最初のとき、読み取り装置１６は、上側のＲＯＭカード１２Ｕを優先するように構成されているが、ＲＯＭカード１２Ｕが上側に装着されていないと検出すると、図１１に示すように、下側のＲＯＭカード１２Ｄの内容を表示する。読み取り装置１６は、ＲＯＭカード１２が両方とも装着されていないと検出すると、ＲＯＭカード１２が両方とも装着されていないことを選択画面２４に表示する。
　　　【００４３】
　また、カードボタン６４が押されたり、或は、選択画面２４に表示しているＲＯＭカード１２が取り外されたことが検出されると、読み取り装置１６は、もう一方のＲＯＭカード１２の内容を表示すると共に、ＣＰＵ２２に表示を変更したことを表す信号を出力する。このとき、読み取り装置１６は、表示ＬＥＤ６５の点灯も切換える。図１０に示す表示は、「Ａ〜Ｎ」のものであるがアルファベット後半の「Ｏ〜Ｚ」の表示に変更することは、タッチパネル２６を操作することにより可能である。また、同様に大文字小文字の変更も自在である。
　　　【００４４】
　書き込み装置１８にＲＡＭカード１４が装着されると、書き込み装置１８は、ＲＡＭカード１４が装着されていることを検出すると共に、ＲＡＭカード１４の記憶内容を検索する。書き込み装置１８は、ＣＰＵ２２を介してＲＡＭカード１４内に読み込みプログラムが記憶されていないと判定すると、内部ＲＯＭ４２に記憶されている読み込みプログラムをＲＡＭカード１４に記憶させる。次に、書き込み装置１８は、ＲＡＭカード１４に模様が記憶されていないと判定すると、ＲＡＭカード１４に模様が記憶されていないことを編集画面２８に表示する。一方、書き込み装置１８は、ＲＡＭカード１４に模様が記憶されていると判定すると、ＣＰＵ２２を介して編集画面２８にＲＡＭカード１４の模様を表示する。尚、読み取り装置１６と書き込み装置１８とは並行して作動可能であると共に、編集作業中も読み取り装置１６及び書き込み装置１８の前記動作は繰り返される。ＲＡＭカード１４の内容が表示されるとＣＰＵ２２は、図６に示す、編集作業のためのメインルーチンに進む。
　　　【００４５】
　まず、電源がオンされて初めて進んで来た場合、作成モードが設定されるように構成されている（Ｓ１０，Ｓ１１）。初めて進んで来て、ＲＡＭカード１４に模様が何も記憶されていないので、選択された模様の無いと判定されると共に、その判定が内部ＲＡＭ４４に記憶される（Ｓ２０：ＮＯ）。そして、図１０に示すように、カーソルが編集画面２８の左上方に点滅表示される（Ｓ２１）。次に、ＣＰＵ２２は選択画面２４に表示されているＲＯＭカード１２の模様の入力待ちをする（Ｓ２３）。作業者は、この入力待ちの間、移動ボタン３２を押してカーソルを編集画面２８で自在に位置させることが可能となっている。従って、模様を表示したい（刺繍をしたい）表示したい位置にカーソルを位置させた後に、タッチパネル２６が押されて選択したい模様が選択される。
　　　【００４６】
　まず、文字模様「ＨＥＬＬＯ」と編集する場合について、以下説明する。
　　　【００４７】
　カーソルが表示位置に移動された後に、カーソルと同じ大きさの「Ｈ」が、タッチパネル２６が押されることにより選択される。続いて、選択画面２４の「ＩＮ」に対応するタッチパネル２６が押されてＣＰＵ２２に模様が入力されると共に、表示のために内部ＲＡＭ４４に記憶されると（Ｓ２３：ＹＥＳ）、カーソルが位置する場所で選択された模様が表示可能であるかが判定される（Ｓ２４）。カーソルの大きさと等しい文字「Ｈ」が選択されたので、表示可能である（Ｓ２４：ＹＥＳ）。もし、表示できない場合（Ｓ２４：ＮＯ）、その模様が編集画面２８の中央方向に寄って、模様を表示可能とするような補正量が演算されると共に、内部ＲＡＭ４４に記憶される（Ｓ２５）。尚、カーソルと模様の大きさが異なる場合、カーソルの中心と模様の中心が一致するようにして補正量は考えられる。
　　　【００４８】
　そのまま表示不可能な場合のみ補正量が考慮されて、Ｓ２３で入力された模様が編集画面２８のカーソルに対応した位置に点滅表示される（Ｓ２６）。次に、ＣＰＵ２２は点滅表示されている模様をＲＡＭカード１４に記憶するか否かの決定の入力待をする（Ｓ２７）。決定ボタン３４が押されると（Ｓ２７：ＹＥＳ）、ＣＰＵ２２は、内部ＲＡＭ４４を読んで、Ｓ２０の判定がＹＥＳであったか否かの判定をすると共に、Ｓ２０の判定がＮＯであったと判定すると、点滅表示されている模様がＲＡＭカード１４に編集された順で模様の編集データ、表示データ、縫製データ、及び、その他のデータが記憶される。更に、この記憶された模様の右側の位置、つまり、次にカーソルが表示される位置が次にカーソルを表示するために内部ＲＡＭ４４に記憶される（Ｓ２８）。
　　　【００４９】
　各データ記憶後、その模様の右側にカーソルが表示不可能な場合は、模様の下側，上側或は右側の位置が内部ＲＡＭ４４に記憶される。
　　　【００５０】
　それらの記憶処理が終了すると、記憶された模様が編集画面２８に静止表示され、ＣＰＵ２２は再びメインルーチンに戻る。尚、作成モードにおいて、Ｓ２７で決定ボタン３４が押される前までは、オールクリアボタン３６を押すことにより、Ｓ２０に戻ることが可能であり、記憶される模様を変更可能である。
　　　【００５１】
　モードボタン５８が押されなければ、作成モードが再び設定される（Ｓ１０，Ｓ１１）。今度は、カーソルがＳ２８で内部ＲＡＭ４４に記憶されたカーソル位置に、つまり、「Ｈ」の右側に表示される（Ｓ２０：ＮＯ，Ｓ２１）。次に、「Ｅ」が入力されて、同様にＳ２４〜Ｓ２８の処理を経て、ＲＡＭカード１４に記憶される。以下同様にして、文字部分「ＨＥＬＬＯ」がＲＡＭカード１４に記憶されると共に、図１１の編集画面２８のように表示される。尚、Ｓ２３での入力方法は、一文字ずつに限らず「ＨＥＬＬＯ」と一単語毎に選択画面２４上に選択した後に、前記Ｓ２３において一単語毎にＣＰＵ２２に入力することも可能である。
　　　【００５２】
　もし、模様をＲＡＭカード１４に記憶させてから模様の誤り、例えば「ＨＥＬＬＯ」を「ＨＡＬＬＯ」と、模様の一部を間違えたことに気づいた場合について以下説明する。
　　　【００５３】
　まず、作業者がモードボタン５８を押すと、どの選択モードであることが判定され（Ｓ１０）、図８に示す選択モードが設定される（Ｓ１１）。内部ＲＡＭ４４が検索されて、既に選択モードで選択された模様の有無が判定される（Ｓ３０）。無いと判定されると（Ｓ３０：ＮＯ）、ＲＡＭカード１４内が検索されて、ＲＡＭカード１４に記憶されている模様のうちで一番最初に記憶されている模様が指定される（Ｓ３１）。次に、前記Ｓ３１で指定された模様「Ｈ」が編集画面２８で点滅表示される（Ｓ３２）。
　　　【００５４】
　ＣＰＵ２２は点滅表示されている模様が選択したい模様であるか否かの決定の入力待をする（Ｓ３３）。この入力待の間に、移動ボタン３２が押されると、別の模様を選択したいのだと判定され（Ｓ３３：ＮＯ，Ｓ３４：ＹＥＳ）、移動ボタン３２が押されて、ＲＡＭカード１４に記憶されている別の模様が再指定される（Ｓ３５）。移動ボタン３２のうちで、左向き及び上向きの移動ボタン３２が押されると、点滅表示されている模様より１つ前の（前に記憶された）模様が指定され、右向き及び下向きの移動ボタン３２が押されると、点滅表示されている模様より１つ後の（後に記憶された）模様が指定される。よって、Ｓ３４においては、ＲＡＭカード１４に記憶されている模様のうちで、任意の模様を指定することが可能である。
　　　【００５５】
　今回は、「Ａ」を「Ｅ」に修正するのだから、はじめに指定された「Ｈ」ではなく、「Ｈ」の後に記憶された「Ａ」が下向き或は右向きの移動ボタン３２の操作により指定され（Ｓ３５）、その「Ａ」が点滅表示される（Ｓ３２）。決定ボタン３４が押されて決定されると（Ｓ３３：ＹＥＳ）、選択された模様があることと選択された模様がどれなのかが内部ＲＡＭ４４に記憶され、ＣＰＵ２２はメインルーチンに戻る（Ｓ３６）。
　　　【００５６】
　尚、選択モードにおいて、オールクリアボタン３６を押すことにより、Ｓ３６で記憶された内部ＲＡＭ４４の記憶内容が消去されると共に、Ｓ３０に戻って模様の選択行為が全く行われなかったことにすることが可能である。また、Ｓ３６で記憶処理が終了した後も、モードボタン５８を押さずに選択モードにしたままにしておくと、模様が選択されているものとして（Ｓ３０：ＹＥＳ）、内部ＲＡＭ４４に既に記憶された模様が点滅表示される（Ｓ３２）。よって、選択する模様を変更することが可能である。
　　　【００５７】
　選択モードで修正する模様が選択された後に、モードボタン５８が押されると、作成モードであることが判定され（Ｓ１０）、作成モードが設定される（Ｓ１１）。内部ＲＡＭ４４を検索することにより、選択された模様が有ること（Ｓ２０：ＹＥＳ）が判定されると共に、内部ＲＡＭ４４に判定がＹＥＳであることが記憶される。その検索された模様「Ａ」が、ＲＡＭカード１４に記憶されている位置の編集画面２８上で点滅表示される（Ｓ２２）。次に、タッチパネル２６により「Ｅ」が選択されて入力されると（Ｓ２３：ＹＥＳ）、同様にＳ２４〜Ｓ２６の処理が行われる。その後、決定ボタン３４が押されると（Ｓ２７：ＹＥＳ）、内部ＲＡＭ４４で、Ｓ２０の判定がＹＥＳであったことを判定すると共に、「Ｅ」が「Ａ」に置換されてＲＡＭカード１４に記憶される（Ｓ２８）。また、修正終了後のカーソルの表示位置は変更されずに、最後に記憶された模様「Ｏ」の近傍のままである。こうして、記憶された模様の修正が可能である。
　　　【００５８】
　更に、模様をＲＡＭカード１４に記憶させてから模様の一部分を削除する、例えば「ＨＥＬＬＯＷ」を「ＨＥＬＬＯ」とする場合について以下説明する。
　　　【００５９】
　まず、モードボタン５８が押され、選択モードが設定され（Ｓ１０，Ｓ１１）、同様にして模様「Ｗ」が選択される（Ｓ３６）。次に、モードボタン５８が押されて、削除モードが設定される（Ｓ１０，Ｓ１１）。次に、図９に示すように、内部ＲＡＭ４４が検索されることにより選択モードで選択された模様が有無が判定される（Ｓ４０）。選択模様があるので（Ｓ４０：ＹＥＳ）、選択モードで選択された模様が、ＲＡＭカード１４に記憶されている編集画面２８上で点滅表示される（Ｓ４１）。
　　　【００６０】
　ＣＰＵ２２は、点滅表示されている模様を消去して良いか否かの決定の入力待をする（Ｓ４２）。決定ボタン３４が押されると（Ｓ４２：ＹＥＳ）、点滅している模様がＲＡＭカード１４から消去される（Ｓ４３）。尚、１つ１つ模様がＲＡＭカード１４から消去されていき、ＲＡＭカード１４に記憶される模様が１つも無くなってしまったら、カーソルは編集画面２８の左上方に表示される。また、Ｓ４２の入力待の間に、決定ボタン３４以外のボタンが押されると、ＲＡＭカード１４から点滅模様の消去は行われないまま、ＣＰＵ２２はメインルーチンに戻る。
　　　【００６１】
　また、ＲＡＭカード１４の記憶されている模様をすべて消去する場合について以下説明する。
　　　【００６２】
　まず、模様を選択モードで選択せずにモードを削除モードが設定される（Ｓ１０，Ｓ１１）。選択模様が無いので（Ｓ４０：ＮＯ）、ＣＰＵ２２はオールクリアー（全消去）の指示の入力待をする（Ｓ４４）。オールクリアボタン３６が押されると（Ｓ４４：ＹＥＳ）、ＲＡＭカード１４に記憶されている模様がすべて編集画面２８上で点滅表示される（Ｓ４５）。ＣＰＵ２２はＲＡＭカード１４の内容をすべて消去して良いか否かの決定の入力待をする（Ｓ４６）。決定ボタン３４が押されると（Ｓ４６：ＹＥＳ）、ＲＡＭカード１４に記憶されている模様がすべて消去されると共に、カーソルが編集画面２８の左上方に表示されて、ＲＯＭカード１２内に何も記憶されていないことが表示される（Ｓ４７）。
　　　【００６３】
　また、このＳ４６の入力待の間に、決定ボタン３４以外のボタンが押されると、ＲＡＭカード１４の全消去は行われないままＣＰＵ２２はメインルーチンに戻る（Ｓ４６：ＮＯ）。このようにして、ＲＡＭカード１４に記憶した後でも、模様の一部分を削除することが可能である。また、ＲＡＭカード１４が装着されていれば、メインルーチンへＣＰＵ２２は進めるので、ＲＯＭカード１２を装着しないままでも、ＲＡＭカード１４の模様の削除は可能である。
　　　【００６４】
　次に、下側に装着されたＲＯＭカード１２Ｄから模様を選択するには、カードボタン６４を押すことにより、図１１に示すように、選択画面２４に表示させるＲＯＭカード１２が切り替えられる。このとき、模様が読み取られるＲＯＭカード１２が変わっても、編集画面２８には継続して図１０に示すように、「ＨＥＬＬＯ」の「Ｏ」の後にカーソルが点滅表示されて、縫製位置が表示されている。次に、カーソルが次に選択する模様を表示する位置に移動され、続いて、作成モードでねこのイラストが選択されると共に、ＲＡＭカード１４に記憶される。図１２のように、刺繍全体の模様の編集が終了したら、刺繍ミシン１０に糸・布をセットし、刺繍ミシン１０をスタートさせ刺繍の縫製を始める。
　　　【００６５】
　このように、別々のＲＯＭカード１２からＲＡＭカード１４に刺繍データを編集して記憶させることが可能なので、オリジナルの模様が格段に多く作成可能である。ＲＡＭカード１４に編集した模様を記憶しているので、一度編集した模様を何度も再利用可能である。
　　　【００６６】
　模様が読み取られるＲＯＭカード１２が変更しても、連続して縫製位置が編集画面２８に表示されているので、次に入力する模様の位置合わせが容易になる。また、ＲＯＭカード１２を差し替える前の模様も、継続して編集画面２８に表示されているので、ＲＯＭカード１２の差し替え後に入力する模様と差し替え前の模様との相対位置がよくわかるので、レイアウトを決めることが容易である。よって、別々のＲＡＭカード１４に記憶されている模様の組合せることが容易に可能である。
　　　【００６７】
　また、ＲＡＭカード１４に記憶しながら編集を行うため、刺繍ミシン１０の本体の内部ＲＡＭの容量が小さくても、多くの模様データを編集することができ、刺繍ミシンのコストを下げることも可能である。
　　　【００６８】
　更に、複数のＲＯＭカード１２が同時に装着可能なので、複数のＲＯＭカード１２を用いても差替えの手間が大幅に解消されてい
る。
　　　【００６９】
　　　【００７０】
　
尚、
　　　【００７１】
　また、模様編集にタッチパネル２６を使用したが、ペンスティックやキーボードなどその他の選択装置を用いても良く、マウスを使用すれば選択作業がより速く行える。
　　　【００７２】
　また、３つ以上のＲＯＭカード１２が装着可能であれば、ＲＯＭカード１２の差し替えの手間は更に解消される。編集した模様の編集の仕方は、記憶させた模様を単に移動させて行うことも考えられ、この場合、レイアウト変更が容易に可能となる。
　　　【００７３】
　加えて、刺繍ミシン１０の本体でＲＯＭカード１２の模様の編集が行えるため、オリジナルの模様を作成し、直ちに刺繍の縫製作業が行えると共に、模様編集装置が不必要となるため、収納も楽になる。編集画面２８を刺繍ミシン１０から取り外し可能にすれば、画面が見やすくなり、一層作業効率が向上する。
　　　【００７４】
　　【発明の効果】
　以上説明したことから明らかなように、本発明の刺繍ミシン
は、刺
【図面の簡単な説明】
　【図１】　　クレーム対応図である。
　【図２】　　本実施例の刺繍ミシンの正面図である。
　【図３】　　本実施例の構成を示すブロック図である。
　【図４】　　本実施例のＲＯＭカードを示す図である。
　【図５】　　本実施例のＲＡＭカードを示す図である。
　【図６】　　本実施例のメインルーチンのフローチャートである。
　【図７】　　本実施例の作成モードのフローチャートである。
　【図８】　　本実施例の選択モードのフローチャートである。
　【図９】　　本実施例の削除モードのフローチャートである。
　【図１０】　本実施例の液晶表示図である。
　【図１１】　本実施例の液晶表示図である。
　【図１２】　本実施例の液晶表示図である。
　　【符号の説明】
　１０　刺繍ミシン
　１２　ＲＯＭカード
　１４　ＲＡＭカード
　１６　読み取り装置
　１８　書き込み装置
　２２　ＣＰＵ
　２４　選択画面
　２６　タッチパネル
　２８　編集画面